(57)【要約】【課題】ペット用胴輪における紐体の組み込み作業の手数を減らして紐体の組み込み作業を容易化し、かつ、使用中の動物の背中の毛挟みに起因する毛痛み、抜け毛等のトラブルを解消する。【解決手段】連結・分離操作用の尾錠４及び長さ調節用の尾錠５を備え、８の字状として首輪部６及び胴輪部７を形成するための紐体１と、８の字状とされた前記紐体１のクロス部分を挿通する紐体挿通孔８を形成した支持プレート２と、前記支持プレート２に取付部材９を介して固着された引き紐接続用の連結環３とからなり、前記連結環３の取付部材９を前記支持プレート２の裏面側で前記紐体１のクロス部分により被覆させた。【選択図】      図１
2004254538.tif 000002
【特許請求の範囲】
【請求項１】
連結・分離操作用の尾錠を備え、８の字状として首輪部及び胴輪部を形成するための紐体と；８の字状とされた前記紐体のクロス部分を挿通する紐体挿通孔を形成した支持プレートと；前記支持プレートに取付部材を介して固着された引き紐接続用の連結環と；からなり、前記連結環の取付部材を前記支持プレートの裏面側で前記紐体のクロス部分により被覆させたことを特徴とするペット用胴輪。
【請求項２】
前記支持プレートは、連結環の取付け部が金属板で構成され、前記連結環は、前記支持プレートの金属板に取付部材を介して回転自在に固着してあることを特徴とする請求項１に記載のペット用胴輪。
【請求項３】
前記支持プレートは、前縁輪郭形状と後縁輪郭形状とが異なる形状としてあり、また、前記紐体挿通孔を紐体のクロス方向の正対関係位置から若干ずらせて対向配置してあることを特徴とする請求項１又は２に記載のペット用胴輪。
【請求項４】
連結・分離操作用の尾錠を備え、８の字状として首輪部及び胴輪部を形成するための紐体と；天板部分と底板部分と前後壁部分とを有し、前記天板部分と底板部分との間に８の字状とされた前記紐体のクロス部分を挿通する紐体挿通孔を左右方向に貫通して形成した支持プレートと；前記支持プレートの天板部分に取付部材を介して固着された引き紐接続用の連結環と；からなり、前記連結環の取付部材の裏面側及び紐体のクロス状部分を前記支持プレートの底板部分で被覆したことを特徴とするペット用胴輪。
【請求項５】
前記支持プレートの紐体挿通孔が、前後壁部間の中央部分では挿通される紐体の厚みの略２倍の上下幅を有し、前後壁部寄りには挿通される紐体の厚みと略同じ上下幅となる部分が形成されていることを特徴とするペット用胴輪。
【請求項６】
前記支持プレートの底板部分には、開口孔が形成してあることを特徴とする請求項４又は５に記載のペット用胴輪。
【発明の詳細な説明】
【０００１】
【発明の属する技術分野】
本発明は、犬、猿等のペット動物に装着し、引き紐を接続して散歩させる場合等に使用するペット用胴輪に関するものである。
【０００２】
【従来の技術】
この種の胴輪は、ペット動物の首の締め付け防止、首回りの毛痛みや首抜け防止等のために首輪に代えて使用されるようになってきている。  従来の胴輪は、端部どうしが尾錠で連結分離可能とされた紐体と、紐体を８の字状にして首輪部と胴輪部を形成するときのクロス部分を挿通する紐体挿通孔を形成した支持プレートと、支持プレートに挿通される紐体のクロス部分を通す矩形環状部を有する連結環とを備えた構造のものが公知である（例えば、特許文献１参照。）。
【０００３】
【特許文献１】
特開２０００−２６２１７８号公報
【０００４】
【発明が解決しようとする課題】
しかしながら、上記従来の胴輪は、紐体の組み込み前の段階では、支持プレートと連結環とが分離した構造となっており、従って、紐体の挿通時、先ず、紐体の一端側を支持プレートの対向する紐体挿通孔の一方から挿通し、次に連結環の矩形環状部を潜らせた後、他方の紐体挿通孔に挿通し、これを紐体の他端側についても同様に行う必要があり、紐体の組み込み作業の手数が多くなるばかりでなく、非常に煩瑣となる欠点がある。また、紐体のクロス部分を通す連結環の矩形環状部が支持プレートの裏面側の紐のクロス部分から動物の背中側に突出しているため、動物に装着した際、動物の背中の毛が前記矩形環状部と紐体のクロス部分との間に挟まって毛痛み、抜け毛等のトラブルが発生することがあり、愛犬家等から改善が要望されている。
【０００５】
そこで、本発明は、上記欠点並びに要望に鑑み、紐体の組み込み作業の手数を減らして紐体の組み込み作業を容易化し、かつ、動物の背中の毛挟みに起因する毛痛み、抜け毛等のトラブルを解消し得るペット用胴輪を提供するようにしたものである。
【０００６】
【課題を解決するための手段】
この技術的課題を解決するための本発明の技術的手段は、連結・分離操作用の尾錠を備え、８の字状として首輪部及び胴輪部を形成するための紐体と；８の字状とされた前記紐体のクロス部分を挿通する紐体挿通孔を形成した支持プレートと；前記支持プレートに取付部材を介して固着された引き紐接続用の連結環と；からなり、前記連結環の取付部材を前記支持プレートの裏面側で前記紐体のクロス部分により被覆させたことを特徴としている。
【０００７】
この構成によれば、紐体を連結環に挿通する手間が省けるため、紐体の組み込み作業の手数を減らして紐体の組み込み作業を容易化することができる。また、連結環の取付部材を支持プレートの裏面側で紐体のクロス部分により被覆させたため、動物の背中の毛が前記取付部材と支持プレートとの間に挟まることがなく、動物の背中の毛痛み、抜け毛等のトラブルを解消することができる。
また、本発明の技術的手段は、前記支持プレートは、連結環の取付け部が金属板で構成され、前記連結環は、前記支持プレートの金属板に取付部材を介して回転自在に固着してあることを特徴としている。
【０００８】
この構成によれば、連結環を固着した支持プレートに作用する引張りや曲げに対する強度を十分に維持させることができる。また、連結環が支持プレートに対して自由に回転し得るため、引率者に対して動物が左右前後に移動しても引き紐を無理なく追従させることができ、しかも、連結環を支持プレートに強固に固着することができる。
また、本発明の技術的手段は、前記支持プレートは、前縁輪郭形状と後縁輪郭形状とが異なる形状としてあり、また、紐体挿通孔を紐体のクロス方向の正対関係位置から若干ずらせて対向配置してあることを特徴としている。
【０００９】
この構成によれば、胴輪を動物に装着する際、支持プレートの前縁輪郭形状と後縁輪郭形状とが異なっていることが装着方向の目安となり、正規状態に容易に装着することができる。また、紐体がずれ動こうとするとき、クロス方向の正対関係位置から若干ずらせて対向配置された紐体挿通孔によって紐体に捩れを伴う動きを強制することになり、紐体挿通孔に対する紐体の移動摩擦抵抗が増大し、支持プレートに対する紐体のずれ動きが抑制され、動物に装着した後は胴輪の緩みやずれが抑制される。
【００１０】
また、本発明の技術的手段は、連結・分離操作用の尾錠を備え、８の字状として首輪部及び胴輪部を形成するための紐体と；天板部分と底板部分と前後壁部分とを有し、前記天板部分と底板部分との間に８の字状とされた前記紐体のクロス部分を挿通する紐体挿通孔を左右方向に貫通して形成した支持プレートと；前記支持プレートの天板部分に取付部材を介して固着された引き紐接続用の連結環と；からなり、前記連結環の取付部材の裏面側及び紐体のクロス状部分を前記支持プレートの底板部分で被覆したことを特徴としている。
【００１１】
この構成によれば、支持プレートに紐体挿通孔をクロス方向に対向して設ける場合に比べて、支持プレート自体を左右方向に貫通して形成してあることにより、支持プレートの左右両側方向の幅寸法を小さくすることができる。また、連結環の取付部材の裏面側や紐体のクロス部分を支持プレートの底板部分で被覆しているため、動物の背中の毛が挟まりにくい。さらに、紐体を支持プレートの紐体挿通孔に挿通するとき、天板部分及び底板部分をガイド面としてスムーズに挿通することができる。また、連結環に連結した引き紐を引くと、支持プレートが動物の背中より持ち上げられて動物の首部および胴部に回された紐体が絞られ、支持プレートの前壁端部及び後壁端部に圧接されて紐体の移動摩擦抵抗が増大し、支持プレートに対する紐体のずれ動きが抑制され、動物に装着した後は胴輪の緩みやずれが抑制される。
【００１２】
さらに、前記支持プレートの紐体挿通孔が、前後壁部間の中央部分では挿通される紐体の厚みの略２倍の上下幅を有し、前後壁部寄りには挿通される紐体の厚みと略同じ上下幅となる部分が形成されている。
この構成によれば、支持プレートの紐体挿通孔が、紐体のクロス部分での上下方向の幅が紐体の厚みの略２倍とされているから、このペット用胴輪をペットに装着する際には、紐体の長手方向の自由な移動が可能である。一方、紐体挿通孔の前後壁部寄りは、上下方向の幅が紐体の厚みと略同じであるので、装着後は紐体の幅方向の移動が規制され、紐体のクロス（振り分け）状態を好適に保持し得るし、紐体に対する支持プレートのズレを防止できる。
【００１３】
また、本発明の技術的手段は、前記支持プレートの底板部分には、開口孔が形成してあることを特徴としている。
この構成によれば、支持プレートに連結環の取付部材を固着する際、前記開口孔に工具を挿入して固着することができ、固着作業を容易化することができる。また、前記開口孔を利用して、識別標識や装飾等を施したネームプレート、軟質保護シート等の別体のシートを着脱可能に装着することができる。
【００１４】
【発明の実施の形態】
以下、本発明の実施の形態を図面に基づいて説明する。
図１〜図４は本発明の胴輪の第１の実施の一形態を示すものである。本発明の胴輪は、紐体１と支持プレート２と連結環３を主たる構成部材としている。
紐体１は、天然皮革、合成皮革又はナイロンやアクリル等の合成樹脂製或いはこれらの複合素材によって扁平な紐状に製作されている。そして、紐体１には、連結・分離操作用の尾錠４及び長さ調節用の尾錠５が取り付けられており、紐体１全体を、８の字状として首輪部６及び胴輪部７を形成するもので、全体の長さを個々の動物のサイズに適合調節するために、長さ調節部１ａが途中適所、例えば、胴輪部７の途中に設けられている。尾錠４は、両側に弾性係止片４ａを有する雄部材４ｂと両側に係止孔４ｃを有する雌部材４ｄとからなり、雄部材４ｂの両側の弾性係止片４ａを圧縮させた状態で雄部材４ｂを雌部材４ｄに押し込み、雄部材４ｂの両側の弾性係止片４ａが雌部材４ｄの両側の係止孔４ｃに拡張復元して嵌合係止することによって連結され、連結解除時には、雄部材４ｂの両側の弾性係止片４ａを押圧して雌部材４ｄの両側の係止孔４ｃから退入させながら雄部材４ｂを雌部材４ｄから引き抜くことによって行われる公知のワンタッチ式のものを採用しているが、他の構成のものを採用しても良い。また、尾錠５は、紐体１の長さを無断階に調節して調節後の長さを保持する形式のもの、本実施形態では、日の字型枠状フレームを採用しているが、他の構成のものを採用しても良い。
【００１５】
支持プレート２は、図３（Ａ）（Ｂ）に示すように、全体を金属板で構成するか、または、少なくとも連結環３の取付け部が金属板によって構成されており、適宜、樹脂２ａで被覆した構成とされている。この支持プレート２には、図２に示すように、８の字状とした紐体１のクロス部分を挿通するための紐体挿通孔８がクロス方向にほぼ対向する配置で４個形成してある。各紐体挿通孔８は、直線状乃至円弧状のスリット形状とされ、スリット形状の長さ及び幅は、紐体１の幅及び厚さよりも大き目とされている。そして、直線状の紐体挿通孔８の場合では、クロス方向に対向するもの同士がほぼ平行に配置され、また、円弧状の紐体挿通孔８の場合では、クロス方向に対向する円弧の中心が内側に位置するように配置されている。これらのクロス方向に対向する紐体挿通孔８は、正対関係位置に配置してもよいが、正対関係位置よりも位置乃至角度を若干ずらせて配置するのが好ましい。後者の場合、紐体１の移動摩擦抵抗を増大させることができ、支持プレート２に対する紐体１のずれを抑制する効果を大きくすることができる。支持プレート２の形状は、図２に示すように、略横長楕円輪郭形状で構成し、左右両側縁と後縁とに凹部２ｂを設けて余肉を除去した構成としている。このように、支持プレート２の前後縁の輪郭形状を異なる形状としておくことによって、動物への装着時の前後方向の目安とできる。また、支持プレート２は、図３（Ａ）に示すように、裏面側が表面側に向けて中央部が高く左右両側が低くなるように円弧状に湾曲させてある。この形状によって、支持プレート２を動物の背中にフィットさせて当接することができ、この支持プレート２に挿通した紐体１を動物の胴部に密着して装着することができる。
【００１６】
連結環３は、図２及び図３（Ａ）（Ｂ）に示すように、金属製リング、好ましくはキーホルダー用割リングで構成され、取付部材９の係止孔９ａに挿入して係止してある。取付部材９は、図３（Ｂ）に示すように、ボス部９ｂと、前記係止孔９ａを形成するためにボス部９ｂから一体に形成された環状部９ｃとを有し、このボス部９ｂに形成された取付孔９ｄと支持プレート２の金属板の取付孔２ｃとに連結軸９ｅを挿入して連結軸９ｅの両端の膨隆係止部９ｆにより抜け止めすることにより取付部材９と支持プレート２とを回転自在に強固に連結している。膨隆係止部９ｆは、連結軸９ｅの挿入後、両端同時に加締め等で形成したり、一方だけ先に形成しておき、他方を連結軸９ｅの挿入後に加締め等で形成してもよい。
【００１７】
第１の実施の形態は、以上の構成からなるもので、連結環３が支持プレート２に取付部材９を介して回転自在に固着され、紐体１をＵ字状に湾曲させて首輪部６を形成し、その両端をクロスさせて支持プレート２の対向する紐体挿通孔８に各々挿通し、紐体１の一端には尾錠４の雌部材４ｄを固着し、紐体１の他端には尾錠５を挿通した後、尾錠４の雄部材４ｂに挿通して折り返し、再び尾錠５に挿通して、この尾錠５と尾錠４の雄部材４ｂとの間の折り返し部を長さ調節部１ａとして完成品とされる。これを動物に装着する場合について図１と図４を参照しながら説明する。先ず、支持プレート２が動物の背中にくるようにして紐体１の首輪部６を動物の首部に挿入する。このとき、首輪部６は、動物の首部のサイズより大きくしておき、首部に挿入後、首輪部６を縮小調節する。この首輪部６の縮小調節には、紐体１の一端又は両端を支持プレート２の紐体挿通孔８を通じて引き絞ることによって行う。次に、紐体１の両端を動物の背中から胴部を経て腹部に回して尾錠４の雄部材４ｂを雌部材４ｄに押し込んで胴輪部７を形成し、仮付けしておく。そして、長さ調節部１ａ及び長さ調節用の尾錠５を操作して胴輪部７の大きさを動物の胴部に密着適合するように縮小調節する。これで装着は終了する。この後、引き紐１０を連結環３に係止して散歩等に引率する。なお、尾錠５の調節は、動物に装着する初回だけ行えばよく、次回以降は、動物の体格が変化しない限り調節は不要である。この第１の実施形態の胴輪は、動物への装着状態では、連結環３の取付部材９の裏面が紐体１のクロス状部分で被覆されており、動物の背中に接触することがないため、毛挟みによる毛痛みや抜け毛等のトラブルの発生を防止できる。また、連結環３が支持プレート２に対して回転自在に取付けてあるため、動物が引率者の前後左右に移動しても引き紐１０が動物の動きに無理なく追従するので、動物への負担を軽減できる。さらに、支持プレート２の紐体挿通孔８をクロス方向の正対関係位置から若干ずらせて対向配置してあることによって、支持プレート２に対する紐体１の移動摩擦抵抗を増大させることができるため、動物に装着した後は紐体１の首輪部６及び胴輪部７の緩みやずれが防止される。
【００１８】
次に、第２の実施形態を図５で説明する。この実施形態は、前記第１の実施形態に比べて、支持プレート２の左右両側方向の幅寸法を前後方向の幅寸法よりもさらに大きくしてある。そして、全体の輪郭形状は、前縁に浅底皿状凹部２ｄを設けると共に、後縁に大きい円弧状凹部２ｅを形成し、左右両側には小円弧状凹部２ｆ、２ｆを形成している。また、紐体挿通孔８は、直線スリット状とし、クロス方向の正対関係位置に対してスリットの形成角度αを若干ずらせて対向配置してある。他の構成は前記第１の実施形態と同様である。
【００１９】
図６〜図８は第３の実施形態を示すもので、この実施形態は、支持プレート２０の形状が前記第１及び第２の実施形態とは異なるものである。即ち、支持プレート２０は、天板部分２１と底板部分２２と、これらを連結する前壁部分２３と後壁部分２４とからなり、これら天板部分２１と底板部分２２との間に紐体挿通孔２５を該支持プレート２０の左右方向に貫通して形成してあり、全体が金属（例えば、銅、黄銅、青銅、その他の銅合金、アルミ、アルミ合金、ステンレス合金、チタン合金、その他の金属、或いは他の金属合金等）で一体に鋳造、接合その他の製造方法によって構成されている。そして、天板部分２１に形成した取付孔２６には、連結環３が前記第１の実施形態と同様に取付部材９を介して回転自在に取付けてある（図７（Ａ）（Ｂ）参照）。また、底板部分２２の中央部には、図８に示すように、開口孔２７が形成してある。上記紐体挿通孔２５は、左右両側の略中央部に天板部分２１と底板部分２２の間を連結する例えば側壁部分２８、２９を設け、この側壁部分２８、２９によって前後方向に振り分けて紐体１をクロス状に挿通するようにしてもよい。この側壁部分２８、２９はピンで代用させてもよい。紐体１及び連結環３の構成は前記第１及び第２の実施形態と同様である。
【００２０】
上記第３の実施形態は以上の構成からなるもので、第１及び第２の実施形態のように支持プレート２に紐体挿通孔８をクロス方向に対向して設ける場合に比べて、支持プレート２０自体を左右方向に貫通して紐体挿通孔２５を形成してあることにより、支持プレート２０の左右両側方向の幅寸法Ｌを小さくすることができる（図６参照）。また、連結環３の取付部材９の裏面側や紐体１のクロス部分を支持プレート２０内に被覆することができ、動物の背中の毛が挟まることはない（図７（Ａ）（Ｂ）参照）。さらに、紐体１を支持プレート２０の紐体挿通孔２５に挿通するとき、天板部分２１及び底板部分２２をガイド面としてスムーズに挿通することができる。また、連結環３に連結した引き紐を引いた場合、支持プレート２０が動物の背中より持ち上げられて動物の首部および胴部に回された紐体１が図６に鎖線で示すように絞られて支持プレート２０の前壁部分２３の端部及び後壁部分２４の端部に圧接され、紐体１の移動摩擦抵抗が増大し、支持プレート２０に対する紐体１のずれ動きが抑制され、動物に装着した後は首輪部６及び胴輪部７の緩みやずれが抑制される。また、支持プレート２０の底板部分２２の中央部には、図８に示すように、開口孔２７が形成してあるため、支持プレート２０に連結環３の取付部材９を固着する際、前記開口孔２７に工具を挿入して固着することができ、固着作業を容易化することができる。また、前記開口孔２７を利用して、識別標識や装飾等を施したネームプレート、軟質保護シート等の別体のシート３０を係止突起部３１の弾性変形を利用して着脱可能に装着することができる（図８参照）。この第３の実施形態における胴輪の動物への装着方法は、前記第１の実施形態で説明した方法と同様である。また、散歩に引率した場合における胴輪の機能についても前記第１の実施形態と同様である。
【００２１】
図９及び図１０は、第４の実施形態を示すもので、第３の実施形態と異なるのは、支持プレート２０の紐体挿通孔２５が、前後壁部２３，２４間の中央部分では挿通される紐体の厚みの略２倍の上下幅を有し、前後壁部２３，２４寄りには挿通される紐体１の厚みと略同じ上下幅となる部分が形成されている点である。詳しくは、底板部分２２の四隅部分２２Ｃが天板部分２１の方向へ凹入することで、天板部分２１と底板部分２２の上下間隔（幅）が狭くされ、紐体１の厚みと略同じとされている。
【００２２】
これによって、支持プレート２０の紐体挿通孔２５が、紐体１のクロス部分での上下方向の幅が紐体の厚みの略２倍とされているから、このペット用胴輪をペットに装着する際には、紐体１の長手方向の自由な移動が可能である。一方、紐体挿通孔２５の前後壁２３，２４部寄りは、上下方向の幅が紐体１の厚みと略同じであるので、装着後は紐体１の幅方向の移動が規制され、紐体１のクロス（振り分け）状態を好適に保持し得るし、紐体１に対する支持プレート２０のズレを防止できる。また、図９のような四隅部分２２Ｃの凹入形状（四隅部分２２Ｃ以外の底板部分２２が菱形状に膨隆する形状）とすると、紐体１を案内するのガイドとしての効果がある。なお、上記のように四隅部分２２Ｃを凹入する方法以外にスペーサを取付けることで同様の効果を得ることもできる。
【００２３】
以上、本発明の実施形態を詳述したが、本発明は上記第１〜第４の実施の形態に限定されるものではない。例えば、支持プレートの輪郭形状は花形、ハート形、スペード形、クローバ形、イチョウ葉形、菱形、その他任意の形状とすることができ、また、任意の色彩を着色したり、種々の模様や装飾を施すことによって個性の違いを出すことができる。紐体１についても同様である。なお、支持プレートの大きさ及び紐体の幅や長さ並びに連結環の大きさ等については動物の大きさ等に対応して複数サイズのものが提供されるものである。また、第３の実施形態における支持プレート２０は、全体を樹脂で構成し、天板部分２１における連結環３の取付部分に補強金属板を設けてもよい。
【００２４】
【発明の効果】
本発明によれば、ペット用胴輪における紐体の組み込み作業の手数を減らして紐体の組み込み作業を容易化し、かつ、動物の背中の毛挟みに起因する毛痛み、抜け毛等のトラブルを解消することができる。
【図面の簡単な説明】
【図１】本発明の第１の実施形態を示す胴輪全体の平面図である。
【図２】本発明の第１の実施形態における支持プレートの拡大平面図である。
【図３】（Ａ）は図２のＡ−Ａ線断面図、（Ｂ）は図２のＢ−Ｂ線断面図である。
【図４】本発明の第１の実施形態の胴輪を動物に装着した状態例を示す概略図である。
【図５】本発明の第２の実施形態における支持プレートの拡大平面図である。
【図６】本発明の第３の実施形態における支持プレートの拡大平面図である。
【図７】（Ａ）は図６のＡ−Ａ線断面図、（Ｂ）は図６のＢ−Ｂ線断面図である。
【図８】本発明の第３の実施形態における支持プレートの拡大底面図である。
【図９】本発明の第４の実施形態における支持プレートの拡大底面図である。
【図１０】図９のＡ−Ａ線端面図である。
【符号の説明】
１    紐体
１ａ  長さ調節部
２    支持プレート
２ａ  樹脂
３    連結環
４    尾錠
５    尾錠
６    首輪部
７    胴輪部
８    紐体挿通孔
９    取付部材
１０  引き紐
２０  支持プレート
２１  天板部分
２２  底板部分
２５  紐体挿通孔
２７  開口孔
３０  シート
【図１】
2004254538.tif 000003
【図２】
2004254538.tif 000004
【図３】
2004254538.tif 000005
【図４】
2004254538.tif 000006
【図５】
2004254538.tif 000007
【図６】
2004254538.tif 000008
【図７】
2004254538.tif 000009
【図８】
2004254538.tif 000010
【図９】
2004254538.tif 000011
【図１０】
2004254538.tif 000012